【手続補正書】
【提出日】平成25年2月15日(2013.2.15)
【手続補正１】
【補正対象書類名】特許請求の範囲
【補正対象項目名】全文
【補正方法】変更
【補正の内容】
【特許請求の範囲】
【請求項１】
プログラムの起動の許否判定に電子機器が利用するライセンスデータの発行を受けるための第一のライセンス識別子の入力を受け付ける受付手段と、
前記第一のライセンス識別子ごとに前記ライセンスデータの発行元識別情報を含む発行元情報との対応情報を記憶した発行元情報記憶手段と、
前記第一のライセンス識別子に対応する前記発行元情報を前記発行元情報記憶手段を用いて取得する発行元情報提供手段と、
ネットワークを介して接続される複数のライセンス管理装置の中で前記発行元情報に係るライセンス管理装置より前記第一のライセンス識別子に対応する前記ライセンスデータを取得し、該ライセンスデータを前記電子機器に送信するライセンス導入処理手段と、
を有するライセンス導入支援システム。
【請求項２】
前記受付手段と前記ライセンス導入処理手段とを備えるライセンス導入支援装置と、前記発行元情報記憶手段と前記発行元情報提供手段とを備えるライセンス元判定装置と、を備え、
前記ライセンス導入支援装置は、前記第一のライセンス識別子を指定して前記発行元情報の取得要求をネットワークを介して接続される前記ライセンス元判定装置に送信し、前記ラインセンス元判定装置より返信される前記発行元情報を受信する発行元情報取得手段をさらに備え、
前記発行元情報提供手段は、前記発行元情報取得手段からの前記取得要求に応じ、該取得要求された前記第一のライセンス識別子に対応する前記発行元情報を返信すること
を特徴とする請求項１記載のライセンス導入システム。
【請求項３】
前記ライセンス導入支援装置は、
前記ライセンス導入処理手段を前記ライセンス管理装置ごとに有し、
前記発行元情報と前記ライセンス導入処理手段との対応情報を記憶した選択情報記憶手段と、
前記発行元情報取得手段によって受信された前記発行元情報に対応する前記ライセンス導入処理手段を前記選択情報記憶手段を用いて選択する選択手段とを有し、
前記選択手段によって選択された前記ライセンス導入処理手段が、前記ライセンスデータを前記ライセンス管理装置より取得し、前記電子機器に送信する請求項２記載のライセンス導入支援システム。
【請求項４】
前記発行元情報は、当該発行元情報に含まれる前記発行元識別情報に係る前記ライセンス管理装置に対応した第二のライセンス識別子を含み、
前記ライセンス導入処理手段は、前記ライセンス管理装置より前記第二のライセンス識別子に対応する前記ライセンスデータを取得する請求項２又は３記載のライセンス導入支援システム。
【請求項５】
前記発行元情報取得手段は、前記第一のライセンス識別子及び該第一のライセンス識別子に係るライセンスデータの導入先の電子機器の機種情報を指定して前記ライセンスデータの発行元識別情報を含む発行元情報の取得要求を前記ライセンス元判定装置に送信し、
前記発行元情報記憶手段は、前記第一のライセンス識別子と前記電子機器の機種情報との組み合わせごとに前記発行元情報との対応情報を記憶し、
前記発行元情報提供手段は、前記発行元情報取得手段からの前記取得要求に応じ、該取得要求に指定された前記第一のライセンス識別子及び前記機種情報に対応する前記発行元情報を前記発行元情報記憶手段を用いて取得し、該発行元情報を返信する請求項２乃至４いずれか一項記載のライセンス導入支援システム。
【請求項６】
プログラムの起動の許否判定に電子機器が利用するライセンスデータの発行を受けるためのライセンス識別子の入力を受け付ける受付手段と、
前記ライセンス識別子を指定して前記ライセンスデータの発行元識別情報を含む発行元情報の取得要求をネットワークを介して接続されるライセンス元判定装置に送信し、前記ライセンス元判定装置より返信される前記発行元情報を受信する発行元情報取得手段と、
ネットワークを介して接続される複数のライセンス管理装置の中で前記発行元情報に係るライセンス管理装置より前記ライセンス識別子に対応する前記ライセンスデータを取得し、該ライセンスデータを前記電子機器に送信するライセンス導入処理手段とを有するライセンス導入支援装置。
【請求項７】
プログラムの起動の許否判定に電子機器が利用するライセンスデータのライセンス識別子ごとに、前記ライセンスデータの発行元識別情報を含む発行元情報との対応情報を記憶した発行元情報記憶手段と、
ネットワークを介して接続されるライセンス導入支援装置からの前記発行元情報の取得要求に応じ、該取得要求に指定された前記ライセンス識別子に対応する前記発行元情報を前記発行元情報記憶手段を用いて取得し、該発行元情報を返信する発行元情報提供手段とを有する前記ライセンス元判定装置。
【請求項８】
プログラムの起動の許否判定に電子機器が利用するライセンスデータの発行を受けるための第一のライセンス識別子の入力を受け付ける受付手段と、
前記第一のライセンス識別子ごとに前記ライセンスデータの発行元識別情報を含む発行元情報との対応情報を記憶した発行元情報記憶手段と、
前記受付手段が受け付けた前記第一のライセンス識別子に対応する前記発行元情報を前記発行元情報記憶手段より取得する発行元情報取得手段と、
ネットワークを介して接続される複数のライセンス管理装置の中で前記発行元情報に係るライセンス管理装置より前記第一のライセンス識別子に対応する前記ライセンスデータを取得し、該ライセンスデータを前記電子機器に送信するライセンス導入処理手段とを有するライセンス導入支援装置。
【請求項９】
プログラムの起動の許否判定に電子機器が利用するライセンスデータの発行を受けるためのライセンス識別子の入力を受け付ける受付手順と、
前記ライセンス識別子を指定して前記ライセンスデータの発行元識別情報を含む発行元情報の取得要求をネットワークを介して接続されるライセンス元判定装置に送信し、前記ライセンス元判定装置より返信される前記発行元情報を受信する発行元情報取得手順と、
ネットワークを介して接続される複数のライセンス管理装置の中で前記発行元情報に係るライセンス管理装置より前記ライセンス識別子に対応する前記ライセンスデータを取得し、該ライセンスデータを前記電子機器に送信するライセンス導入処理手順とをコンピュータが実行するライセンス導入支援方法。
【請求項１０】
ネットワークを介して接続されるライセンス導入支援装置からの前記発行元情報の取得要求を受信する取得要求受信手順と、
該取得要求に指定された前記ライセンス識別子に対応する前記発行元情報を発行元情報記憶手段を用いて取得し、該発行元情報を返信する発行元情報提供手順とをコンピュータが実行し、
前記発行元情報記憶手段は、プログラムの起動の許否判定に電子機器が利用するライセンスデータのライセンス識別子ごとに、前記ライセンスデータの発行元識別情報を含む発行元情報との対応情報を記憶するライセンス元判定方法。
【請求項１１】
プログラムの起動の許否判定に電子機器が利用するライセンスデータの発行を受けるためのライセンス識別子の入力を受け付ける受付手順と、
前記ライセンス識別子を指定して前記ライセンスデータの発行元識別情報を含む発行元情報の取得要求をネットワークを介して接続されるライセンス元判定装置に送信し、前記ライセンス元判定装置より返信される前記発行元情報を受信する発行元情報取得手順と、
ネットワークを介して接続される複数のライセンス管理装置の中で前記発行元情報に係るライセンス管理装置より前記ライセンス識別子に対応する前記ライセンスデータを取得し、該ライセンスデータを前記電子機器に送信するライセンス導入処理手順とをコンピュータに実行させるライセンス導入支援プログラム。
【請求項１２】
ネットワークを介して接続されるライセンス導入支援装置からの前記発行元情報の取得要求を受信する取得要求受信手順と、
該取得要求に指定された前記ライセンス識別子に対応する前記発行元情報を発行元情報記憶手段を用いて取得し、該発行元情報を返信する発行元情報提供手順とをコンピュータに実行させ、
前記発行元情報記憶手段は、プログラムの起動の許否判定に電子機器が利用するライセンスデータのライセンス識別子ごとに、前記ライセンスデータの発行元識別情報を含む発行元情報との対応情報を記憶するライセンス元判定プログラム。
【手続補正２】
【補正対象書類名】明細書
【補正対象項目名】０００８
【補正方法】変更
【補正の内容】
【０００８】
そこで上記課題を解決するため、ライセンス導入支援システムは、プログラムの起動の許否判定に電子機器が利用するライセンスデータの発行を受けるための第一のライセンス識別子の入力を受け付ける受付手段と、前記第一のライセンス識別子ごとに前記ライセンスデータの発行元識別情報を含む発行元情報との対応情報を記憶した発行元情報記憶手段と、前記第一のライセンス識別子に対応する前記発行元情報を前記発行元情報記憶手段を用いて取得する発行元情報提供手段と、ネットワークを介して接続される複数のライセンス管理装置の中で前記発行元情報に係るライセンス管理装置より前記第一のライセンス識別子に対応する前記ライセンスデータを取得し、該ライセンスデータを前記電子機器に送信するライセンス導入処理手段とを有する。